(57)【要約】  データ線の電圧によるノイズの影響を低減しうる、又はノイズ補正が行いやすいタッチパネル一体型表示装置を提供すること。タッチパネル一体型表示装置１は、複数のゲート線１０１と、複数のデータ線１０２とで形成された複数の画素からなる表示領域を有する表示パネルを備える。表示領域には、複数の電極１１１と、複数の電極と接続された複数の配線１１２とが設けられ、一定時間ごとに、各配線１１２に所定の電圧が印加され、各電極１１１における容量の変化が検出される。各データ線１０２は、隣接するデータ線１０２と異なる極性の電圧が印加される。一の電極１１１は、少なくとも一の配線１１２と接続される。当該少なくとも一の配線１１２は、互いに異なる極性の電圧が印加される複数のデータ線１０２の近傍に配置されている、又は、他の配線１１２の近傍に配置されたデータ線１０２に印加される電圧と同じ極性の電圧が印加されるデータ線１０２の近傍に配置されている。
2017126603.tif 000002
【特許請求の範囲】
【請求項１】
複数のゲート線と、前記複数のゲート線と交差する複数のデータ線とを含み、ゲート線とデータ線とで規定される画素からなる表示領域を有する表示パネルと、
前記表示領域に設けられた複数の電極と、
前記表示領域において前記複数の電極と接続された複数の配線と、
一定時間ごとに、前記複数の配線に所定の電圧を印加し、前記複数の電極における容量の変化を検出する検出手段と、を備え、
前記複数のデータ線は、隣接するデータ線と異なる極性の電圧が印加され、
一の電極は、前記複数の配線のうちの少なくとも一の配線と接続され、
前記少なくとも一の配線は、互いに異なる極性の電圧が印加される複数のデータ線の近傍に配置されている、又は、他の配線の近傍に配置されたデータ線と同じ極性の電圧が印加されるデータ線の近傍に配置されている、タッチパネル一体型表示装置。
【請求項２】
前記一の電極は、２ｎ本（ｎは１以上の整数）の前記配線と接続され、
前記２ｎ本の配線は、正極性の電圧が印加されるデータ線と負極性の電圧が印加されるデータ線の本数が同じである２ｎ本のデータ線の近傍に配置されている、請求項１に記載のタッチパネル一体型表示装置。
【請求項３】
前記一の電極は、前記複数の配線のうちの一の配線と接続され、
前記一の配線は、正極性の電圧が印加されるデータ線と負極性の電圧が印加されるデータ線とを含む２ｎ（ｎは１以上の整数）本のデータ線であって、正極性と負極性の電圧がそれぞれ印加されるデータ線の本数が同じである２ｎ本のデータ線と交互に重なるように屈曲して配置されている、請求項１に記載のタッチパネル一体型表示装置。
【請求項４】
前記表示パネルは、前記複数のゲート線と前記複数のデータ線とが配置されたアクティブマトリクス基板と、前記アクティブマトリクス基板に対向して設けられ、カラーフィルタを有する対向基板と、前記アクティブマトリクス基板と前記対向基板との間に設けられた液晶層とを備え、
前記複数の電極と前記複数の配線は、前記アクティブマトリクス基板に配置されている、請求項１から３のいずれか一項に記載のタッチパネル一体型表示装置。
【請求項５】
前記表示パネルは、前記複数のゲート線と前記複数のデータ線とが配置されたアクティブマトリクス基板と、前記アクティブマトリクス基板に対向して設けられ、カラーフィルタを有する対向基板と、前記アクティブマトリクス基板と前記対向基板との間に設けられた液晶層とを備え、
前記複数の電極と前記複数の配線は、前記対向基板に配置されている、請求項１から３のいずれか一項に記載のタッチパネル一体型表示装置。
【発明の詳細な説明】
【技術分野】
【０００１】
本発明は、タッチパネル一体型表示装置に関する。
【背景技術】
【０００２】
従来より、タッチ位置を検出するセンサー機構を表示パネルの画素内に備えるインセル型のタッチパネル一体型表示装置が知られている。【０００３】
特開２０１４−１６４７５２号公報には、このようなタッチパネル一体型表示装置が開示されている。特開２０１４−１６４７５２号公報では、ゲート線とデータ線とで形成されるピクセルからなる表示領域内に、タッチセンサー又は共通電極として機能する複数の電極がピクセルと重なるように配置されている。また、表示領域内には、電極に共通電圧又はタッチスキャン電圧を印加するための接続配線が設けられている。特開２０１４−１６４７５２号公報では、ディスプレイ駆動モードとタッチ駆動モードを時分割で切り替えてパネルを駆動し、自己キャパシタンス方式でタッチ位置を検出する。ディスプレイ駆動モード時には、接続配線を介して複数の電極に共通電圧を印加して画像を表示し、タッチ駆動モード時には、接続配線を介して複数の電極にタッチスキャン信号を印加してタッチ位置の検出を行う。
【発明の開示】
【０００４】
特開２０１４−１６４７５２号公報のようなインセル型のタッチパネル一体型表示装置の場合、共通電極又はセンサー電極として機能する複数の電極と、共通電圧又はスキャン電圧を複数の電極に印加するための複数の配線とが表示領域内に配置される。そのため、複数の配線を、表示パネルに設けられた一部のデータ線の近傍に設けると、タッチ位置の検出時に、各配線は、データ線の電圧によるノイズの影響を受ける。特に、隣接するデータ線の間で異なる極性の交流電圧がデータ線に印加される場合、データ線近傍に配置される配線は、そのデータ線の電圧の極性に応じたノイズの影響を受ける。そのため、配線の配置によって、各電極におけるノイズにばらつきが生じ、ノイズ補正が行いにくくなる。
【０００５】
本発明は、データ線の電圧によるノイズの影響を低減しうる、又は、データ線の電圧によるノイズの影響を受けたとしてもノイズ補正が行いやすいタッチパネル一体型表示装置を提供することを目的とする。
【０００６】
本発明の一実施形態におけるタッチパネル一体型表示装置は、複数のゲート線と、前記複数のゲート線と交差する複数のデータ線とを含み、ゲート線とデータ線とで規定される画素からなる表示領域を有する表示パネルと、前記表示領域に設けられた複数の電極と、前記表示領域において前記複数の電極と接続された複数の配線と、一定時間ごとに、前記複数の配線に所定の電圧を印加し、前記複数の電極における容量の変化を検出する検出手段と、を備え、前記複数のデータ線は、隣接するデータ線と異なる極性の電圧が印加され、一の電極は、前記複数の配線のうちの少なくとも一の配線と接続され、前記少なくとも一の配線は、互いに異なる極性の電圧が印加される複数のデータ線の近傍に配置されている、又は、他の配線の近傍に配置されたデータ線と同じ極性の電圧が印加されるデータ線の近傍に配置されている。
【０００７】
本発明の実施の形態によれば、データ線の電圧によるノイズの影響を低減する、又は、データ線の電圧によるノイズの影響を受けたとしてもノイズ補正しやすくすることができる。
【図面の簡単な説明】
【０００８】
【図１】図１は、実施の形態１に係るタッチパネル付き表示装置の概略構成を示す断面図である。
【図２】図２は、図１に示すアクティブマトリクス基板の概略構成を示す平面図である。
【図３】図３は、図２に示すソース線に印加される電圧の極性を例示した図である。
【図４】図４は、図１に示すアクティブマトリクス基板に設けられる電極と配線を示す概略平面図である。
【図５】図５は、図４に示す配線の配置例を示す概略平面図である。
【図６】図６は、図５に示す配線が配置された領域近傍の表示パネルの断面を示す模式図である。
【図７】図７は、図５に示す配線と重なって配置されるソース線の極性を説明する図である。
【図８】図８は、実施の形態２におけるアクティブマトリクス基板に設けられる電極と配線を示す概略平面図である。
【図９】図９は、図８に示す配線の配置例とソース線の極性とを示した概略平面図である。
【図１０Ａ】図１０Ａは、実施の形態２における配線の配置例とソース線の極性とを示した概略平面図である。
【図１０Ｂ】図１０Ｂは、図１０Ａとは異なる配線の配置例を示す概略平面図である。
【図１１】図１１は、変形例（１）における、配線が配置された領域近傍の表示パネルの断面を示す模式図である。
【図１２】図１２は、変形例（２）における、配線が配置された領域近傍の表示パネルの断面を示す模式図である。
【発明を実施するための形態】
【０００９】
本発明の一実施形態におけるタッチパネル一体型表示装置は、複数のゲート線と、前記複数のゲート線と交差する複数のデータ線とを含み、ゲート線とデータ線とで規定される画素からなる表示領域を有する表示パネルと、前記表示領域に設けられた複数の電極と、前記表示領域において前記複数の電極と接続された複数の配線と、一定時間ごとに、前記複数の配線に所定の電圧を印加し、前記複数の電極における容量の変化を検出する検出手段と、を備え、前記複数のデータ線は、隣接するデータ線と異なる極性の電圧が印加され、一の電極は、前記複数の配線のうちの少なくとも一の配線と接続され、前記少なくとも一の配線は、互いに異なる極性の電圧が印加される複数のデータ線の近傍に配置されている、又は、他の配線の近傍に配置されたデータ線と同じ極性の電圧が印加されるデータ線の近傍に配置されている（第１の構成）。
【００１０】
第１の構成によれば、複数のデータ線は、隣接するデータ線の間で互いに異なる極性の電圧が印加される。また、一の電極に接続される少なくとも一の配線は、互いに異なる極性の電圧が印加される複数のデータ線の近傍に配置されるか、又は、他の配線の近傍に配置されたデータ線と同じ極性の電圧が印加されるデータ線の近傍に配置される。電極に接続された少なくとも一の配線が、互いに異なる極性の電圧が印加される複数のデータ線の近傍に配置される場合、当該複数のデータ線の電圧によるノイズが打ち消されるため、ノイズを低減することができる。また、各電極と接続された各配線が、同じ極性の電圧が印加されるデータ線の近傍に配置される場合、各電極において同極性のノイズの影響を受ける。そのため、各電極におけるノイズの極性がばらついている場合と比べ、ノイズ補正の処理を行いやすい。
【００１１】
第１の構成において、前記一の電極は、２ｎ本（ｎは１以上の整数）の前記配線と接続され、前記２ｎ本の配線は、正極性の電圧が印加されるデータ線と負極性の電圧が印加されるデータ線の本数が同じである２ｎ本のデータ線の近傍に配置されていることとしてもよい（第２の構成）。
【００１２】
第２の構成によれば、各電極は２ｎ本の配線と接続される。これら配線は、正極性の電圧が印加されるデータ線と、負極性の電圧が印加されるデータ線のそれぞれの近傍に配置されるため、各データ線の電圧によるノイズが打ち消され、各電極におけるノイズを低減することができる。
【００１３】
第１の構成において、前記一の電極は、前記複数の配線のうちの一の配線と接続され、前記一の配線は、正極性の電圧が印加されるデータ線と負極性の電圧が印加されるデータ線とを含む２ｎ本のデータ線であって、正極性と負極性の電圧がそれぞれ印加されるデータ線の本数が同じである２ｎ本のデータ線と交互に重なるように屈曲して配置されていることとしてもよい（第３の構成）。
【００１４】
第３の構成によれば、各電極は１本の配線と接続される。この配線は、正極性と負極性の電圧がそれぞれ印加されるデータ線の本数が同じである２ｎ本のデータ線と交互に重なるように屈曲している。そのため、各データ線の電圧によるノイズが打ち消され、電極におけるノイズを低減することができる。
【００１５】
第１から第３のいずれかの構成において、前記表示パネルは、前記複数のゲート線と前記複数のデータ線とが配置されたアクティブマトリクス基板と、前記アクティブマトリクス基板に対向して設けられ、カラーフィルタを有する対向基板と、前記アクティブマトリクス基板と前記対向基板との間に設けられた液晶層とを備え、前記複数の電極と前記複数の配線は、前記アクティブマトリクス基板に配置されていることとしてもよい（第４の構成）。
【００１６】
第４の構成によれば、複数の電極を共通電極として機能させ、ＩＰＳ（In-Plane Switching）モードやＦＦＳ（Fringe Field Switching）モードで液晶層を駆動させることができる。
【００１７】
第１から第３のいずれかの構成において、前記表示パネルは、前記複数のゲート線と前記複数のデータ線とが配置されたアクティブマトリクス基板と、前記アクティブマトリクス基板に対向して設けられ、カラーフィルタを有する対向基板と、前記アクティブマトリクス基板と前記対向基板との間に設けられた液晶層とを備え、前記複数の電極と前記複数の配線は、前記対向基板に配置されていることとしてもよい（第５の構成）。
【００１８】
第５の構成によれば、複数の電極を共通電極として機能させ、ＶＡ（Vertical Alignment）モードで液晶層を駆動させることができる。
【００１９】
以下、図面を参照し、本発明の実施の形態を詳しく説明する。図中同一または相当部分には同一符号を付してその説明は繰り返さない。なお、説明を分かりやすくするために、以下で参照する図面においては、構成が簡略化または模式化して示されたり、一部の構成部材が省略されたりしている。また、各図に示された構成部材間の寸法比は、必ずしも実際の寸法比を示すものではない。
【００２０】
［実施の形態１］
図１は、本発明の実施の形態１に係るタッチパネル一体型表示装置の概略構成を示す断面図である。
【００２１】
図１に示すように、タッチパネル一体型表示装置１は、表示パネル１０として、アクティブマトリクス基板１１と、対向基板１２と、アクティブマトリクス基板１１と対向基板１２との間に挟持された液晶層１３とを備える。
【００２２】
図２は、図１に示すアクティブマトリクス基板１１の概略構成を示す平面図である。図２に示すように、アクティブマトリクス基板１１には、複数のゲート線１０１と、複数のゲート線１０１と交差する複数のソース線１０２が設けられている。ゲート線１０１とソース線１０２とで構成される画素ＰＩＸには、ゲート線１０１とソース線１０２とに接続されたスイッチング素子１０３と、スイッチング素子１０３と接続された画素電極１０４とが設けられている。
【００２３】
複数のゲート線１０１は、アクティブマトリクス基板１１の表示領域外に設けられたゲート線駆動部２１と接続されている。ゲート線駆動部２１は、複数のゲート線１０１のそれぞれに対し、ゲート線１０１を一水平走査期間ごとに選択状態に切り替える電圧を印加し、各ゲート線１０１を走査する。
【００２４】
また、複数のソース線１０２は、アクティブマトリクス基板１１の表示領域外に設けられたソース線駆動部２２と接続されている。ソース線駆動部２２は、複数のソース線１０２のそれぞれに、所定時間ごとに極性を反転させた交流電圧であって、隣接するソース線１０２と逆極性となる交流電圧を印加する。例えば、図２の例では、図３に示すように、ソース線１０２ａ、１０２ｃ、１０２ｅに印加される電圧の極性と、ソース線１０２ｂ、１０２ｄに印加される電圧の極性は逆極性となり、フレームごとに、各ソース線に印加される電圧の極性が反転するカラム反転駆動を行う。
【００２５】
アクティブマトリクス基板１１の表示領域内には、さらに、図４に示すように、共通電極、又は利用者の指等の導電体が触れた位置を検出するセンサー電極として機能する複数の電極１１１と、複数の電極１１１に接続された複数の配線１１２と、複数の配線１１２と接続された電極駆動部２３とが設けられている。なお、図４において、ゲート線１０１、ソース線１０２、スイッチング素子１０３、及び画素電極１０４の図示は省略されている。アクティブマトリクス基板１１における各部の位置関係は後述するものとする。
【００２６】
電極１１１は、例えば、４ｍｍ角程度の略正方形を有し、複数の画素電極１０４（図２参照）と重なるように配置されている。本実施の形態では、各電極１１１は、図４における破線枠Ｒで示すように、電極１１１ごとに異なる２本の配線１１２と接続されている。
【００２７】
電極駆動部２３は、複数の電極１１１を共通電極として機能させる表示モードと、複数の電極１１１をセンサー電極として機能させるタッチ検出モードとを時分割で切り替える。電極駆動部２３は、表示モードにおいて、複数の配線１１２を介して複数の電極１１１に一定の共通電圧（以下、第１電圧）を印加する。これにより、液晶層１３は、電極１１１と画素電極１０４との間に生じる電界によりＦＦＳモードで駆動される。電極駆動部２３は、タッチ検出モードにおいて、複数の配線１１２を介して複数の電極１１１に、第１電圧とは異なるセンサー電圧（第２電圧）を印加し、各電極１１１において容量の変化を検出する。
【００２８】
次に、配線１１２の配置例を説明する。図５は、一部の配線１１２が配置されたアクティブマトリクス基板１１の平面図である。また、図６は、一の配線１１２が配置された領域近傍の表示パネル１０の断面を示す模式図である。なお、図５では、便宜上、電極１１１の図示を省略している。また、図５には図示されていないが、配線１１２が設けられた位置には、配線１１２と重なるようにソース線１０２が設けられている。
【００２９】
図５に示すように、各配線１１２は、ソース線１０２と略平行となるように配置されている。以下、配線１１２が設けられた位置の表示パネル１０の断面について説明する。図６に示すように、アクティブマトリクス基板１１は、透光性を有する基板１１０の上に、半導体層１０３１とソース・ドレイン１０３２（１０３２ｓ、１０３２ｄ）とを有するスイッチング素子１０３が形成され、絶縁層１０５を介してスイッチング素子１０３のドレイン１０３２ｄと画素電極１０４が接続されている。スイッチング素子１０３のソース１０３２ｓは、当該スイッチング素子１０３が設けられた画素のソース線１０２と一体成形されている。絶縁層１０５の上には、画素電極１０４と配線１１２とが配置され、画素電極１０４と配線１１２の上には、絶縁層１０６を介して電極１１１が配置されている。電極１１１の上には、液晶層１３が設けられ、液晶層１３の上には、対向基板１２が設けられている。
【００３０】
対向基板１２は、透光性を有する基板１２０上において、赤（Ｒ），緑（Ｇ），青（Ｂ）のいずれかの色に対応するカラーフィルタ１２１とブラックマトリクスＢＭとが設けられている。カラーフィルタ１２１は、アクティブマトリクス基板１１に形成された各画素に対応する位置に設けられている。この例では、青（Ｂ）のカラーフィルタ１２１Ｂと赤（Ｒ）のカラーフィルタ１２１Ｒとが設けられている例を示している。
【００３１】
図６に示すように、各配線１１２は、ソース線１０２と重なるように配置され、ブラックマトリクスＢＭによって覆われる。
【００３２】
次に、配線１１２が配置される位置に設けられているソース線１０２について説明する。図４に示したように、本実施の形態では、各電極１１１はそれぞれ、隣接する２本の配線１１２と接続されている。各電極１１１とそれぞれ接続される２本の配線１１２は、互いに逆極性の交流電圧が印加される２本のソース線１０２と重なるように配置される。
【００３３】
例えば、図７の（ａ）に示すように、図４に示す電極１１１ａ〜１１１ｃとそれぞれ接続される２本の配線１１２を、配線１１２ａ、１１２ｂ、１１２ｃとした場合、２本ずつの配線１１２ａ、１１２ｂ、１１２ｃは、図７の（ｂ）に示すように、正極性と負極性の電圧が印加される２本のソース線１０２と重なるように配置される。
【００３４】
なお、この例では、各電極１１１は、隣接する２本のソース線１０２の近傍に配置された２本の配線１１２と接続されているが、一の電極１１１と接続される配線１１２の本数はこれに限定されない。一の電極１１１は、正極性の電圧が印加されるｎ本（ｎ：１以上の整数）のソース線１０２と、負極性の電圧が印加されるｎ本のソース線１０２のそれぞれの近傍に配置された２ｎ本の配線１１２と接続されていればよい。
【００３５】
配線１１２は、配線１１２の近傍に配置されるソース線１０２に印加される電圧の極性に応じたノイズの影響を受ける。つまり、正極性の電圧が印加されるソース線１０２の近傍に配置される配線１１２に接続された電極１１１における容量は、当該ソース線１０２によって正極性のノイズを受ける。一方、負極性の電圧が印加されるソース線１０２の近傍に配置される配線１１２に接続された電極１１１における容量は、当該ソース線１０２によって負極性のノイズを受ける。そのため、各配線１１２の近傍に配置されたソース線１０２の電圧の極性がばらついている場合、各電極１１１におけるノイズ極性もばらつき、電極１１１間でノイズの差が大きくなる。
【００３６】
本実施の形態では、各電極１１１に接続される２本の配線１１２は、互いに極性が異なる電圧が印加されるソース線１０２の近傍に配置される。そのため、２本のソース線１０２の電圧によるノイズが互いに打ち消され、各電極１１１におけるノイズを低減することができる。
【００３７】
［実施の形態２］
本実施の形態では、上述した実施の形態１とは異なる配線１１２の接続方法について説明する。
【００３８】
図８は、本実施の形態におけるアクティブマトリクス基板１１における電極１１１と配線１１２との接続例を示す模式図である。図８において、実施の形態１と同様の構成には、実施の形態１と同じ符号を付している。
【００３９】
図８に示すように、本実施の形態では、アクティブマトリクス基板１１に配置された複数の電極１１１のそれぞれは、電極１１１ごとに異なる１本の配線１１２と接続されている点で実施の形態１と異なる。
【００４０】
図９の（ａ）は、本実施の形態における配線１１２の配置例を示す概略平面図である。図９の（ｂ）は、図９の（ａ）の各ソース線１０２に対し、あるフレームにおいて印加される電圧の極性を示している。なお、図９の（ａ）では電極１１１の図示は省略されている。また、図９の（ａ）では図示されていないが、配線１１２と重なる位置にソース線１０２が配置されている。
【００４１】
本実施の形態では、図９の（ａ）（ｂ）に示すように、各配線１１２のそれぞれは、同じ極性の電圧が印加されるソース線１０２と重なるように配置されている。例えば、図８における電極１１１ａ〜１１１ｃと接続される各配線１１２を配線１１２ａ、１１２ｂ、１１２ｃとした場合、この例では、図９の（ｂ）に示すように、配線１１２ａ、１１２ｂ、１１２ｃは、いずれも、負極性（−）の電圧が印加されるソース線１０２と重なるように配置される。
【００４２】
なお、配線１１２は、負極性（−）の電圧が印加されるソース線１０２と重なるように配置されてもよいし、正極性（＋）の電圧が印加されるソース線１０２と重なるように配置されてもよい。要は、各配線１１２が、同じ極性の電圧が印加されるソース線１０２と重なるように配置されていればよい。また、この例では、各電極１１１に１本の配線１１２が接続されているが、複数の配線１１２と接続されていてもよい。
【００４３】
このように、同じ極性の電圧が印加されるソース線１０２の近傍に各配線１１２が配置されることで、タッチ検出モードにおいて、各電極１１１は、同じ極性のノイズを受ける。そのため、各配線１１２の近傍に配置されるソース線１０２の極性がばらついている場合と比べ、タッチ検出モードにおいて、各電極１１１で検出される容量の変化に対するノイズ補正が行いやすくなる。
【００４４】
［実施の形態３］
本実施の形態では、実施の形態２と同様、各電極１１１は、互いに異なる１本の配線１１２と接続されるが、配線１１２の形状が異なる。
【００４５】
図１０Ａの（ａ）は、本実施の形態における配線１１２の配置例を示す概略平面図であり、図１０Ａの（ｂ）は、図１０Ａの（ａ）における各ソース線１０２に対し、あるフレームにおいて印加される電圧の極性を示している。なお、図１０Ａの（ａ）では電極１１１の図示は省略されている。また、図１０Ａの（ａ）では図示されていないが、配線１１２と重なる位置にソース線１０２が配置されている。
【００４６】
本実施の形態では、図１０Ａの（ａ）に示すように、一の配線１１２は、隣接する２本のソース線１０２の上を交互に重なるように屈曲している。つまり、本実施の形態では、一の配線１１２は、正極性と負極性の電圧がそれぞれ印加される２本のソース線１０２の近傍に配置される。そのため、タッチ位置検出モードにおいて、一の配線１１２の近傍に配置された２本のソース線１０２の電圧によるノイズは互いに打ち消され、各電極１１１におけるノイズを低減することができる。
【００４７】
なお、本実施の形態において、電極１１１は、１本の配線１１２と接続されてもよいし、複数の配線１１２と接続されていてもよい。また、この例では、一の配線１１２は、隣接する２本のソース線１０２と交互に重なるように屈曲している例であるが、例えば、図１０Ｂに示すように、隣接する４本のソース線１０２のそれぞれの上に交互に重なるように屈曲していてもよい。つまり、一の配線１１２は、正極性の電圧が印加されるｎ本（ｎ：１以上の整数）のソース線１０２と、負極性の電圧が印加されるｎ本のソース線１０２とを含む２ｎ本のソース線１０２のそれぞれと交互に重なるように屈曲していればよい。
【００４８】
［変形例］
今回開示された実施の形態はすべての点で例示であって制限的なものではないと考えられるべきである。本発明の範囲は、上記した実施の形態の説明ではなくて請求の範囲によって示され、請求の範囲と均等の意味および範囲内でのすべての変更が含まれることが意図される。以下にその変形例を示す。
【００４９】
（１）上述した実施の形態では、ＦＦＳモードで液晶層１３を駆動し、電極１１１及び配線１１２はアクティブマトリクス基板１１に設けられている例を説明したが、以下のように構成してもよい。図１１は、本変形例における、配線が配置された領域近傍の表示パネル１０の断面を表す模式図である。なお、図１１において、実施の形態と同様の構成には同じ符号を付している。
【００５０】
図１１に示すように、本変形例では、電極１１１は、対向基板１２において、カラーフィルタ１２１及びブラックマトリクスＢＭと接し、アクティブマトリクス基板１１における各画素を覆うように配置されている。電極１１１と液晶層１３との間には絶縁層２０１、２０２が設けられている。配線１１２は、絶縁層２０１を貫通して電極１１１と接続され、ブラックマトリクスＢＭ及びソース線１０２と重なるように配置されている。従って、本変形例では、液晶層１３は、対向基板１２における電極１１１と、アクティブマトリクス基板１１における画素電極１０４との間の電界により、負の誘電率異方性を有する液晶分子が基板１１０に対して垂直配向される。つまり、本変形例では、ＶＡ（Vertical Alignment）モードで液晶層１３が駆動される。
【００５１】
（２）本変形例では、ＶＡモードで液晶層１３を駆動させる場合において上記変形例（１）とは異なる構成例を説明する。図１２は、本変形例における、配線が配置された領域近傍の表示パネル１０の断面を表す模式図である。なお、図１２において、実施の形態と同様の構成には同じ符号を付している。
【００５２】
図１２に示すように、アクティブマトリクス基板１１が対向基板１２の上側（視認側）に配置される。アクティブマトリクス基板１１は、基板１１０上に電極１１１が設けられ、電極１１１とスイッチング素子１０３との間に、絶縁層３０２、３０３と配線１１２とが設けられる。配線１１２は、絶縁層３０２を貫通して電極１１１と接続され、ソース線１０２と重なるように配置される。絶縁層３０３上にスイッチング素子１０３が設けられ、絶縁層３０３と画素電極１０４の間に絶縁層３０４が設けられる。そして、液晶層１３と画素電極１０４の間には絶縁層３０５が設けられる。また、対向基板１２におけるカラーフィルタ１２１及びブラックマトリクスＢＭと接するように共通電極２１１が設けられ、共通電極２１１と液晶層１３との間に絶縁層２１２が設けられる。
【００５３】
この例では、画素電極１０４と共通電極２１１との間の電界により、負の誘電率異方性を有する液晶分子が基板１１０に対して垂直配向され、液晶層１３が駆動される。つまり、この場合には、電極１１１は、センサー電極としてのみ機能し、配線１１２は、電極駆動部２３（図４等参照）によって、一定期間ごとに、センサー電圧のみが印加される。
【００５４】
（３）上述した実施の形態では、１フレームごとに、各ソース線１０２に、極性を反転させた交流電圧を印加するカラム反転駆動を行う例を説明したが、各ソース線１０２に、１水平期間ごとに極性を反転させた交流電圧を印加するドット反転駆動を行うようにしてもよい。
【００５５】
（４）上述した実施の形態では、配線１１２が、ソース線１０２と重なって配置される例を説明したが、例えば、ブラックマトリクスＢＭと重なる位置であって、ソース線１０２より左又は右にずれた位置に配置されていてもよい。要は、一の配線１１２は、一のソース線１０２の近傍に配置されていればよい。
【図１】
2017126603.tif 000003
【図２】
2017126603.tif 000004
【図３】
2017126603.tif 000005
【図４】
2017126603.tif 000006
【図５】
2017126603.tif 000007
【図６】
2017126603.tif 000008
【図７】
2017126603.tif 000009
【図８】
2017126603.tif 000010
【図９】
2017126603.tif 000011
【図１０Ａ】
2017126603.tif 000012
【図１０Ｂ】
2017126603.tif 000013
【図１１】
2017126603.tif 000014
【図１２】
2017126603.tif 000015
【国際調査報告】
2017126603.tif 000016
2017126603.tif 000017